(57)【要約】      （修正有）【課題】特別な機器を必要とせずに、受信するコンテンツデータを登録できる無線端末装置を提供する。【解決手段】通信エリア内で基地局から配信されるコンテンツデータを受信可能な携帯電話機は、基地局から報知されている第１の報知情報に含まれるコンテンツデータの配信の有無に関する情報を取得して、コンテンツデータの配信の有無を判断するコンテンツデータ判断部４２と、コンテンツデータ判断部４２によりコンテンツデータの配信が有ると判断された場合、基地局から報知されている第２の報知情報に含まれるコンテンツデータを識別可能な識別情報を取得する取得部４３と、識別情報により識別されるコンテンツデータを受信する受信部４５と、を備える。【選択図】図２
2012205127.tif 000002
【特許請求の範囲】
【請求項１】
通信エリア内で基地局から配信されるコンテンツデータを受信可能な無線端末装置であって、
前記基地局から報知されている第１の報知情報に含まれる前記コンテンツデータの配信の有無に関する情報を取得して、前記コンテンツデータの配信の有無を判断するコンテンツデータ判断部と、
前記コンテンツデータ判断部により前記コンテンツデータの配信が有ると判断された場合、前記基地局から報知されている第２の報知情報に含まれる前記コンテンツデータを識別可能な識別情報を取得する取得部と、
前記識別情報により識別される前記コンテンツデータを受信する受信部と、を備える無線端末装置。
【請求項２】
前記基地局への位置登録時に取得する基地局情報から、前記基地局が特定の基地局であるか否かを判定する判定部を備え、
前記コンテンツデータ判断部は、前記基地局が特定の基地局であると判定された場合に、前記コンテンツデータの配信の有無を判断する請求項１に記載の無線端末装置。
【請求項３】
前記特定の基地局は、広域セルよりも狭い狭域セルを形成する基地局である請求項２に記載の無線端末装置。
【請求項４】
前記第２の報知情報は、前記コンテンツデータの配信時刻を含み、
前記取得部は、前記配信時刻をさらに取得し、
前記受信部は、前記配信時刻に前記コンテンツデータを受信する請求項１から３のいずれか１項に記載の無線端末装置。
【請求項５】
第１の通信モードと、前記第２の報知情報を受信可能な第２の通信モードとを切り替える通信モード切替部を備え、
前記通信モード切替部は、前記取得部が前記配信時刻を取得した時刻から前記配信時刻までに所定の時間がある場合に、前記第１の通信モードに切り替えた後、前記配信時刻の到来を検出したことに応じて通信モードを前記第２の通信モードに切り替える請求項４に記載の無線端末装置。
【請求項６】
前記識別情報は、前記コンテンツデータの種別を示す種別データを含み、
前記種別データに基づいて前記コンテンツデータの受信の要否を決定する受信要否判断部を備える請求項１から５のいずれか１項に記載の無線端末装置。
【請求項７】
前記コンテンツデータの配信は、ＣＤＭＡ２０００＿１ｘ＿ＥＶＤＯにおけるＢＣＭＣＳにより提供され、
前記コンテンツデータの配信の有無に関する情報は、前記第１の報知情報であるＱｕｉｃｋＣｏｎｆｉｇ  Ｍｅｓｓａｇｅに設定されるフラグであり、
前記識別情報は、前記第２の報知情報であるＢｒｏａｄｃａｓｔ  Ｏｖｅｒｈｅａｄ  Ｍｅｓｓａｇｅに含まれるフローＩＤである請求項１から６のいずれか１項に記載の無線端末装置。
【請求項８】
通信エリア内で基地局から配信されるコンテンツデータを受信する無線端末装置の制御方法であって、
前記基地局から報知されている第１の報知情報に含まれる前記コンテンツデータの配信の有無に関する情報を取得して、前記コンテンツデータの配信の有無を判断するコンテンツデータ判断ステップと、
前記コンテンツデータ判断ステップにおいて前記コンテンツデータの配信が有ると判断された場合、前記基地局から報知されている第２の報知情報に含まれる前記コンテンツデータを識別可能な識別情報を取得する識別情報取得ステップと、
前記識別情報により識別される前記コンテンツデータを受信する受信ステップと、を有する制御方法。
【発明の詳細な説明】
【技術分野】
【０００１】
本発明は、基地局から配信される情報を受信する無線端末装置及びその制御方法に関する。
【背景技術】
【０００２】
従来、携帯電話機等の無線端末装置は、例えば、音声通話が可能なＣＤＭＡ２０００＿１ｘ方式や、データ通信専用のＣＤＭＡ２０００＿１ｘ＿ＥＶＤＯ（Ｅｖｏｌｕｔｉｏｎ  Ｄａｔａ  Ｏｎｌｙ、あるいはＥｖｏｌｕｔｉｏｎ  Ｄａｔａ  Ｏｐｔｉｍｉｚｅｄ）方式等、複数の通信システムに対応している。
【０００３】
また、ＣＤＭＡ２０００＿１ｘ＿ＥＶＤＯ方式においては、ＢＣＭＣＳ（Ｂｒｏａｄ−Ｃａｓｔ  Ｍｕｌｔｉ−Ｃａｓｔ  Ｓｅｒｖｉｃｅ）と呼ばれる同報送信のサービスが提供されている。ＢＣＭＣＳでは、ＣＤＭＡ２０００＿１ｘ＿ＥＶＤＯの通信エリア内の無線端末装置に向けて、コンテンツデータが一斉配信される。このため、無線端末装置は、受信したいコンテンツデータの識別データや配信時刻の情報を予め登録しておく必要がある。そして、無線端末装置は、登録したコンテンツデータの配信時刻になると、配信エリア内で周期的に送信されている報知情報を受信し、登録したコンテンツデータが配信されていることを確認すると、コンテンツデータの受信を開始する。
【０００４】
特許文献１では、受信するコンテンツデータを無線端末装置に登録する操作を省いて、コンテンツデータを受信可能な無線端末装置が提案されている。
【先行技術文献】
【特許文献】
【０００５】
【特許文献１】特開２００９−２０６８５８号公報
【発明の概要】
【発明が解決しようとする課題】
【０００６】
しかしながら、特許文献１では、無線端末装置を携帯したユーザがイベント会場に入退場したり、無線端末装置を用いて代金の支払いをしたりすることを契機として、無線端末装置に内臓されたＲＦＩＤ等の機器により、受信するコンテンツデータを登録している。このため、無線端末装置が特定のコンテンツデータを受信するには、無線端末装置の内部に受信機器を、無線端末装置の外部に送信機器を、新たに設けなければならなかった。
【０００７】
本発明は、特別な機器を必要とせずに、受信するコンテンツデータを登録できる無線端末装置を提供することを目的とする。
【課題を解決するための手段】
【０００８】
本発明に係る無線端末装置は、通信エリア内で基地局から配信されるコンテンツデータを受信可能な無線端末装置であって、前記基地局から報知されている第１の報知情報に含まれる前記コンテンツデータの配信の有無に関する情報を取得して、前記コンテンツデータの配信の有無を判断するコンテンツデータ判断部と、前記コンテンツデータ判断部により前記コンテンツデータの配信が有ると判断された場合、前記基地局から報知されている第２の報知情報に含まれる前記コンテンツデータを識別可能な識別情報を取得する取得部と、前記識別情報により識別される前記コンテンツデータを受信する受信部と、を備える。
【０００９】
また、無線端末装置は、前記基地局への位置登録時に取得する基地局情報から、前記基地局が特定の基地局であるか否かを判定する判定部を備え、前記コンテンツデータ判断部は、前記基地局が特定の基地局であると判定された場合に、前記コンテンツデータの配信の有無を判断することが好ましい。
【００１０】
前記特定の基地局は、広域セルよりも狭い狭域セルを形成する基地局であることが好ましい。
【００１１】
前記第２の報知情報は、前記コンテンツデータの配信時刻を含み、前記取得部は、前記配信時刻をさらに取得し、前記受信部は、前記配信時刻に前記コンテンツデータを受信することが好ましい。
【００１２】
第１の通信モードと、前記第２の報知情報を受信可能な第２の通信モードとを切り替える通信モード切替部を備え、前記通信モード切替部は、前記取得部が前記配信時刻を取得した時刻から前記配信時刻までに所定の時間がある場合に、前記第１の通信モードに切り替えた後、前記配信時刻の到来を検出したことに応じて通信モードを前記第２の通信モードに切り替えることが好ましい。
【００１３】
前記識別情報は、前記コンテンツデータの種別を示す種別データを含み、前記種別データに基づいて前記コンテンツデータの受信の要否を決定する受信要否判断部を備えることが好ましい。
【００１４】
前記コンテンツデータの配信は、ＣＤＭＡ２０００＿１ｘ＿ＥＶＤＯにおけるＢＣＭＣＳにより提供され、前記コンテンツデータの配信の有無に関する情報は、前記第１の報知情報であるＱｕｉｃｋＣｏｎｆｉｇ  Ｍｅｓｓａｇｅに設定されるフラグであり、前記識別情報は、前記第２の報知情報であるＢｒｏａｄｃａｓｔ  Ｏｖｅｒｈｅａｄ  Ｍｅｓｓａｇｅに含まれるフローＩＤであることが好ましい。
【００１５】
本発明に係る制御方法は、通信エリア内で基地局から配信されるコンテンツデータを受信する無線端末装置の制御方法であって、前記基地局から報知されている第１の報知情報に含まれる前記コンテンツデータの配信の有無に関する情報を取得して、前記コンテンツデータの配信の有無を判断するコンテンツデータ判断ステップと、前記コンテンツデータ判断ステップにおいて前記コンテンツデータの配信が有ると判断された場合、前記基地局から報知されている第２の報知情報に含まれる前記コンテンツデータを識別可能な識別情報を取得する識別情報取得ステップと、前記識別情報により識別される前記コンテンツデータを受信する受信ステップと、を含む。
【発明の効果】
【００１６】
本発明によれば、無線端末装置は、特別な機器を必要とせずに、受信するコンテンツデータを登録できる無線端末装置を提供することができる。
【図面の簡単な説明】
【００１７】
【図１】本発明の実施形態に係る携帯電話機の外観斜視図である。
【図２】本発明の実施形態に係る携帯電話機の機能を示すブロック図である。
【図３】本発明の実施形態に係る携帯電話機における処理の流れを示すシーケンス図である。
【図４】図３に示すシーケンス図に続く処理の流れを示すシーケンス図である。
【発明を実施するための形態】
【００１８】
以下、本発明の実施形態の一例について説明する。なお、本実施形態では、無線端末装置の一例として、携帯電話機１を説明する。
【００１９】
図１は、本実施形態に係る携帯電話機１の外観斜視図である。
携帯電話機１は、操作部側筐体２と、表示部側筐体３と、を備えて構成される。操作部側筐体２は、操作部側表面部１０に、操作部１１と、携帯電話機１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００２０】
また、表示部側筐体３は、表示部側表面部２０に、各種情報を表示するための表示部２１と、通話の相手側の音声を出力するレシーバ２２と、を備えて構成されている。
【００２１】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とを折り畳んだ状態（閉状態）にしたりできる。
【００２２】
携帯電話機１は、広域セル（マクロセル）及び狭域セル（フェムトセル）を構成する基地局と通信可能な携帯電話機１である。携帯電話機１は、所定以上の電界強度が得られる基地局に対して時間的、符号的な同期を行った上で、自端末の位置登録を行い、基地局は、位置登録が行われた携帯電話機１を通信対象とする。携帯電話機１は、基地局が通信エリア内で配信するコンテンツデータを受信する。
【００２３】
図２は、本実施形態に係る携帯電話機１の機能を示すブロック図である。携帯電話機１は、操作部１１と、表示部２１と、制御部３０と、通信部６０と、メインアンテナ６１と、サブアンテナ６２と、記憶部７０と、音声制御部８０と、を備える。
【００２４】
制御部３０は、携帯電話機１の全体を制御しており、例えば、表示部２１、通信部６０、音声制御部８０等に対して所定の制御を行う。また、制御部３０は、操作部１１等から入力を受け付けて、各種処理を実行する。そして、制御部３０は、処理実行の際には、記憶部７０を制御し、各種プログラム及びデータの読み出し、並びにデータの書き込みを行う。なお、本実施形態に係る制御部３０の詳細機能は後述する。
【００２５】
通信部６０は、所定の使用周波数帯（例えば、２ＧＨｚ帯や８００ＭＨｚ帯等）で基地局と通信を行う。通信部６０は、メインアンテナ６１より受信した信号を復調処理し、又はサブアンテナ６２より受信した信号を復調処理し、処理後の信号を制御部３０に供給する。また、通信部６０は、制御部３０から供給された信号を変調処理し、メインアンテナ６１を介して基地局に送信する。
【００２６】
ここで、通信部６０は、データ通信専用の通信プロトコルであるＣＤＭＡ２０００＿１ｘ＿ＥＶＤＯと、音声通話を提供する音声通信プロトコルであるＣＤＭＡ２０００＿１ｘと、の双方に対応している。通信部６０は、制御部３０からの指令に基づいて、一方又は双方の通信プロトコルにより通信を行う。本実施形態では、コンテンツデータの配信は、ＣＤＭＡ２０００＿１ｘ＿ＥＶＤＯにおけるＢＣＭＣＳにより提供される。通信部６０は、ＣＤＭＡ２０００＿１ｘ＿ＥＶＤＯにより、ＢＣＭＣＳの配信データ（コンテンツデータ）を受信する。
【００２７】
通信部６０は、ＣＣ（コントロールチャネル）間欠受信モード（第１の通信モード）では、メインアンテナ６１及びサブアンテナ６２の通信プロトコルを所定周期でＣＤＭＡ２０００＿１ｘ＿ＥＶＤＯからＣＤＭＡ２０００＿１ｘに切り替えてＣＤＭＡ２０００＿１ｘの着信を監視する。なお、ＣＤＭＡ２０００＿１ｘ＿ＥＶＤＯに切り替えられた状態では、通信部６０は、間欠的に、基地局から報知される基地局情報の受信も行う。また、通信部６０は、Ｄｕａｌ  Ｓｌｏｔｔｅｄ  Ｍｏｄｅ（第２の通信モード）では、メインアンテナ６１でＱｕｉｃｋＣｏｎｆｉｇ  Ｍｅｓｓａｇｅ等の基地局から報知される基地局情報の受信タイミングと、Ｂｒｏａｄｃａｓｔ  Ｏｖｅｒｈｅａｄ  Ｍｅｓｓａｇｅ（第２の報知情報）の受信タイミングとの２つのタイミング（スロット）で、コントロールチャネルを監視する。Ｄｕａｌ  Ｓｌｏｔｔｅｄ  Ｍｏｄｅでは、通信部６０は、Ｂｒｏａｄｃａｓｔ  Ｏｖｅｒｈｅａｄ  Ｍｅｓｓａｇｅを受信することが可能である。また、通信部６０は、ＣＣ連続受信モード（第３の通信モード）では、コントロールチャネルのすべてを受信する。通信部６０は、コントロールチャネルで配信されるＢＣＭＣＳのコンテンツデータをＣＣ連続受信モードで受信する。なお、コンテンツデータ受信中は、ＣＤＭＡ２０００＿１ｘによる着信監視は、サブアンテナ６２にて行う。
【００２８】
記憶部７０は、例えば、ワーキングメモリを含み、制御部３０による演算処理に利用される。また、記憶部７０は、ＢＣＭＣＳで受信するコンテンツデータに関する情報を記憶する。具体的には、記憶部７０は、後述する識別情報及び配信時刻を記憶する。また、記憶部７０は、予めユーザの好むコンテンツデータの種類に応じたコンテンツデータの種別データを記憶してもよい。
【００２９】
音声制御部８０は、制御部３０の制御に従って、通信部６０から供給された信号に対して所定の音声処理を行い、処理後の信号をレシーバ２２に出力する。レシーバ２２は、音声制御部８０から供給された信号を外部に出力する。なお、この信号は、レシーバ２２に代えて、又はレシーバ２２とともに、スピーカ（図示せず）から出力されるとしてもよい。
【００３０】
また、音声制御部８０は、制御部３０の制御に従って、マイク１２から入力された信号を処理し、処理後の信号を通信部６０に出力する。通信部６０は、音声制御部８０から供給された信号に所定の処理を行い、処理後の信号を出力する。
【００３１】
次に制御部３０の機能を詳述する。制御部３０は、プロトコル部４０及びアプリケーション部５０を備える。プロトコル部４０は、判定部４１と、コンテンツデータ判断部４２と、取得部４３と、通信モード切替部４４と、受信部４５と、を備え、通信部６０を介して基地局と通信する。アプリケーション部５０は、受信要否判断部５１を備える。アプリケーション部５０は、プロトコル部４０から得たＢＣＭＣＳのコンテンツデータに関する情報を記憶部７０に記憶させることによりコンテンツデータを登録し、必要に応じてコンテンツデータの受信の開始をプロトコル部４０に指示する。
【００３２】
判定部４１は、いずれかの基地局に対して位置登録する際に取得される基地局情報により、この基地局が特定の基地局であるか否かを判定する。本実施形態では、特定の基地局とは、マクロセルよりも狭いフェムトセルを形成する基地局である。基地局情報は、Ｓｙｎｃ  Ｃｈａｎｎｅｌ  Ｍｅｓｓａｇｅに含まれるＳＩＤ（Ｓｙｓｔｅｍ  ＩＤ）及びＮＩＤ（Ｎｅｔｗｏｒｋ  ＩＤ）である。判定部４１は、これらのＩＤにより、位置登録先がフェムトセルであるか否かを判定する。
【００３３】
コンテンツデータ判断部４２は、携帯電話機１が位置登録した基地局がフェムトセルであると判定された場合に、フェムトセルの通信エリアのみを対象とした独自のＢＣＭＣＳのコンテンツデータの配信があるか否かを判断する。具体的には、コンテンツデータ判断部４２は、フェムトセルから報知されている基地局情報から、ＱｕｉｃｋＣｏｎｆｉｇ  Ｍｅｓｓａｇｅ（第１の報知情報）を取得する。ＱｕｉｃｋＣｏｎｆｉｇ  Ｍｅｓｓａｇｅは、フェムトセルの通信エリアに関する情報を常に報知している報知情報である。ＱｕｉｃｋＣｏｎｆｉｇ  Ｍｅｓｓａｇｅには、フェムトセルの通信エリアのみを対象とした独自のＢＣＭＣＳのコンテンツデータの配信があるか否かを示すフラグが設定されている。コンテンツデータ判断部４２は、このフラグに基づいて、携帯電話機１が待ち受けている通信エリアで独自のＢＣＭＣＳのコンテンツデータの配信があるか否かを判断する。なお、このフラグは、ＱｕｉｃｋＣｏｎｆｉｇ  Ｍｅｓｓａｇｅ内のフィールドのうち、３ＧＰＰ２で特定の用途が規定されていないフィールドに設定される。
【００３４】
取得部４３は、フェムトセルから報知されているＢｒｏａｄｃａｓｔ  Ｏｖｅｒｈｅａｄ  Ｍｅｓｓａｇｅに含まれる識別情報を取得する。識別情報は、フロー（Ｆｌｏｗ）ＩＤと呼ばれるコンテンツデータを識別する情報である。フローＩＤは、飲食、ファッション、娯楽等のコンテンツデータの種別を示す種別データを含んでいてもよい。ここで、Ｂｒｏａｄｃａｓｔ  Ｏｖｅｒｈｅａｄ  Ｍｅｓｓａｇｅとは、ＢＣＭＣＳで配信される可能性のあるコンテンツデータの情報を報知する報知情報である。Ｂｒｏａｄｃａｓｔ  Ｏｖｅｒｈｅａｄ  Ｍｅｓｓａｇｅは、フローＩＤ及びコンテンツデータの配信時刻を含んでいる。取得部４３は、フローＩＤ及びコンテンツデータの配信時刻を取得する。
【００３５】
通信モード切替部４４は、通信部６０を制御して、通信プロトコルをＣＣ間欠受信モード、Ｄｕａｌ  Ｓｌｏｔｔｅｄ  Ｍｏｄｅ又はＣＣ連続受信モードに切り替える。通信モード切替部４４は、取得部４３がコンテンツデータの配信時刻を取得した時刻から、コンテンツデータの配信時刻までに所定の時間がある場合に、ＣＣ間欠受信モードに切り替える。そして、通信モード切替部４４は、配信時刻の到来を検出したことに応じて、通信モードをＤｕａｌ  Ｓｌｏｔｔｅｄ  Ｍｏｄｅに切り替え、Ｂｒｏａｄｃａｓｔ  Ｏｖｅｒｈｅａｄ  Ｍｅｓｓａｇｅを受信した後、ＣＣ連続受信モードに切り替える。また、通信モード切替部４４は、携帯電話機１が通常の着信待ち受けを行う場合、通信プロトコルをＣＣ間欠受信モードに切り替える。
【００３６】
受信部４５は、コンテンツデータの配信時刻になると、アプリケーション部５０の指示に従って、フローＩＤにより識別されたコンテンツデータを受信する。
【００３７】
受信要否判断部５１は、記憶部７０にユーザの好むコンテンツデータの種別データが記憶されていた場合、この種別データに基づいてコンテンツデータを受信するか否かを決定する。具体的には、受信要否判断部５１は、記憶部７０に記憶されていた種別データと、プロトコル部４０から通知されたフローＩＤに含まれる種別データとを照合する。記憶部７０に記憶されていた種別データとフローＩＤに含まれる種別データとが一致する場合、受信要否判断部５１は、コンテンツデータを受信すると決定する。
【００３８】
図３及び４は、本実施形態に係る携帯電話機１におけるコンテンツデータの受信処理の流れを示すシーケンス図である。
【００３９】
ステップＳ１では、プロトコル部４０は、位置登録した基地局から基地局情報を取得する。
【００４０】
ステップＳ２では、判定部４１は、ステップＳ１で取得した基地局情報に基づいて、携帯電話機１の位置登録先がフェムトセルであるか否かを判定する。判定部４１は、フェムトセルであると判定した場合（ＹＥＳ）に、処理をステップＳ３に移し、フェムトセルでない（ＮＯ）と判定した場合、通常の着信待ち受けに移行する。
【００４１】
ステップＳ３では、プロトコル部４０は、フェムトセルが配信しているＱｕｉｃｋＣｏｎｆｉｇ  Ｍｅｓｓａｇｅを受信し、ＱｕｉｃｋＣｏｎｆｉｇ  Ｍｅｓｓａｇｅに含まれるコンテンツデータの配信の有無を示すフラグを取得する。
【００４２】
ステップＳ４では、コンテンツデータ判断部４２は、ステップＳ３で取得したフラグを参照し、フェムトセル独自のコンテンツデータの配信があるか否かを判断する。コンテンツデータ判断部４２は、フェムトセル独自のコンテンツデータの配信がある（ＹＥＳ）と判断した場合、処理をステップＳ５に移し、フェムトセル独自のコンテンツデータの配信がない（ＮＯ）と判断した場合、通常の着信待ち受けに移行する。
【００４３】
ステップＳ５では、通信モード切替部４４は、ＢＣＭＣＳのＢｒｏａｄｃａｓｔ  Ｏｖｅｒｈｅａｄ  Ｍｅｓｓａｇｅを受信するために、通信部６０を制御して、通信プロトコルをＣＣ間欠受信モードからＤｕａｌ  Ｓｌｏｔｔｅｄ  Ｍｏｄｅへ切り替える。
【００４４】
ステップＳ６では、取得部４３は、フェムトセルから、Ｂｒｏａｄｃａｓｔ  Ｏｖｅｒｈｅａｄ  Ｍｅｓｓａｇｅを受信し、Ｂｒｏａｄｃａｓｔ  Ｏｖｅｒｈｅａｄ  Ｍｅｓｓａｇｅに含まれるフローＩＤ及び対応するコンテンツデータの配信時刻を取得する。
【００４５】
ステップＳ７では、プロトコル部４０は、ステップＳ６で取得したフローＩＤ及び配信時刻をアプリケーション部５０に通知する。
【００４６】
ステップＳ８では、受信要否判断部５１は、記憶部７０にユーザの好むコンテンツデータの種別データが記憶されていた場合、記憶されていた種別データとフローＩＤに含まれる種別データとを照合し、一致するか否かを判定する。記憶部７０に記憶されていた種別データとフローＩＤに含まれる種別データとが一致する（ＹＥＳ）場合、受信要否判断部５１は、コンテンツデータを受信することを決定し、処理をステップＳ９に移行させる。一方、記憶部７０に記憶されていた種別データとフローＩＤに含まれる種別データとが一致しない（ＮＯ）場合、受信要否判断部５１は、コンテンツデータを受信しないことを決定し、通常の着信待ち受けに移行する。
【００４７】
ステップＳ９では、アプリケーション部５０は、ステップＳ８で受信すると決定されたコンテンツデータを登録する。具体的には、アプリケーション部５０は、受信すると決定されたコンテンツデータのフローＩＤ及び配信時刻を記憶部７０に記憶させる。
【００４８】
ステップＳ１０では、通信モード切替部４４は、ステップＳ６で取得部４３がコンテンツデータの配信時刻を取得した時刻から所定の時間が経過すると、通信モードをＣＣ間欠受信モードに切り替える。
【００４９】
ステップＳ１１では、アプリケーション部５０は、ステップＳ９で記憶部７０に記憶された配信時刻が近づくと、受信するコンテンツデータのフローＩＤをプロトコル部４０に送信し、コンテンツデータの受信を開始するよう指示する。
【００５０】
ステップＳ１２では、通信モード切替部４４は、通信モードをＤｕａｌ  Ｓｌｏｔｔｅｄ  Ｍｏｄｅに切り替える。ここで、通信モード切替部４４は、ステップＳ１０により前にステップＳ１１の指示を受けた場合、ＣＣ間欠受信モードを経ることなくＤｕａｌ  Ｓｌｏｔｔｅｄ  Ｍｏｄｅを継続することとなる。つまり、配信時刻を取得してから配信時刻までに所定以上の時間がある場合、一旦ＣＣ間欠受信モードに切り替わった後、配信時刻になるとＤｕａｌ  Ｓｌｏｔｔｅｄ  Ｍｏｄｅに切り替わる。
【００５１】
ステップＳ１３では、プロトコル部４０は、フェムトセルから配信されているＢｒｏａｄ  Ｃａｓｔ  Ｏｖｅｒｈｅａｄ  Ｍｅｓｓａｇｅを受信する。
【００５２】
ステップＳ１４では、プロトコル部４０は、フローＩＤで識別されるコンテンツデータの実際の配信があるか否かを確認する。コンテンツデータの配信の有無は、ステップＳ６で取得部４３がフローＩＤを取得した時刻から、時間の経過とともに変化している場合がある。例えば、コンテンツデータがショッピングセンタに設置されているフェムトセルで配信されるタイムセールの情報であった場合、何らかの事情によりタイムセールの時間が変更される場合が考えられる。このため、プロトコル部４０は、ステップＳ１３で受信したＢｒｏａｄ  Ｃａｓｔ  Ｏｖｅｒｈｅａｄ  ＭｅｓｓａｇｅのフローＩＤを確認し、受信開始の指示を受けたコンテンツデータが実際に配信されることとなっているか否かを判断する。プロトコル部４０は、受信開始の指示を受けたコンテンツデータの実際の配信がある（ＹＥＳ）と判断した場合、処理をステップＳ１５に移し、受信開始の指示を受けたコンテンツデータの実際の配信がない（ＮＯ）と判断した場合、処理をステップＳ１７に移行させる。
【００５３】
ステップＳ１５では、通信モード切替部４４は、通信モードをＤｕａｌ  Ｓｌｏｔｔｅｄ  ＭｏｄｅからＣＣ連続受信モードに切り替える。
【００５４】
ステップＳ１６では、プロトコル部４０は、フェムトセルからコンテンツデータの受信を開始する。また、プロトコル部４０は、受信したコンテンツデータをアプリケーション部５０に送信する。
【００５５】
ステップＳ１７では、プロトコル部４０は、コンテンツデータの受信を行わずに終了することをアプリケーション部５０に通知する。
【００５６】
ステップＳ１８では、アプリケーション部５０は、コンテンツデータの受信を終了したか否かを判断する。アプリケーション部５０は、コンテンツデータの受信を終了した（ＹＥＳ）と判断した場合、処理をステップＳ１９に移し、コンテンツデータの受信を終了していない（ＮＯ）と判断した場合、コンテンツデータの受信を継続する。
【００５７】
ステップＳ１９では、アプリケーション部５０は、プロトコル部４０に対してコンテンツデータの受信を終了するよう指示する。
【００５８】
ステップＳ２０では、プロトコル部４０は、ＣＣ連続受信モードを終了し、通信モード切替部４４により、通信モードをＣＣ連続受信モードからＣＣ間欠受信モードに切り替える。
【００５９】
ステップＳ２１では、アプリケーション部５０は、コンテンツデータの受信を完了する。受信されたコンテンツデータは記憶部７０に記憶される。ユーザは、アプリケーション部５０を介して記憶部７０に記憶されたコンテンツデータを閲覧することが可能となる。
【００６０】
本実施形態によれば、携帯電話機１は、基地局から報知されているＱｕｉｃｋＣｏｎｆｉｇ  Ｍｅｓｓａｇｅに含まれている情報により、基地局独自で配信されるコンテンツデータの配信の有無を判断する。そして、携帯電話機１は、Ｂｒｏａｄｃａｓｔ  Ｏｖｅｒｈｅａｄ  Ｍｅｓｓａｇｅに含まれているコンテンツデータの識別情報を取得して、この識別情報により識別されるコンテンツデータを受信する。このため、ユーザが受信するコンテンツデータを携帯電話機１に登録したり、携帯電話機１にコンテンツデータの登録を行う機器を設けることなく、自動的に基地局独自で配信されるコンテンツデータを受信することができる。
【００６１】
また、本実施形態によれば、携帯電話機１は、基地局がフェムトセルであることを判定した場合に、基地局独自のコンテンツデータの配信の有無を判断して受信する。このため、マクロセルよりも狭いフェムトセルの通信エリア内で配信される独自の情報を受信することができる。
【００６２】
また、本実施形態によれば、携帯電話機１は、コンテンツデータの配信時刻を取得する。携帯電話機１は、コンテンツデータの配信時刻が到来しない間は、ＣＣ間欠受信モードでフェムトセルと通信し、配信時刻の到来を検出したことに応じて通信モードをＤｕａｌ  Ｓｌｏｔｔｅｄ  Ｍｏｄｅに切り替える。Ｄｕａｌ  Ｓｌｏｔｔｅｄ  Ｍｏｄｅの方が、消費電力が高いので、コンテンツデータの配信時刻に応じて通信モードを切り替えることにより、電力の消費を節約することができる。
【００６３】
また、本実施形態によれば、携帯電話機１は、予めユーザの好むコンテンツデータの種別データを登録してある場合には、登録した種別データとフェムトセルから取得する識別情報に含まれる種別データとを照合し、一致する場合にコンテンツデータを受信する。このため、携帯電話機１は、ユーザの要求する情報のみを選択的に受信することができる。
【００６４】
以上、好適な実施形態について説明したが、本発明は前述した実施形態に限定されることなく種々の形態で実施することができる。また、前述の実施形態に記載された効果は、本発明から生じる最も好適な効果を列挙したに過ぎず、本発明による効果は、前述のものに限定されない。
【００６５】
例えば、取得部４３でコンテンツデータの配信時刻を取得した時刻から、配信時刻までの時間が所定時間内であるか否かをプロトコル部４０又はアプリケーション部５０において判断し、Ｄｕａｌ  Ｓｌｏｔｔｅｄ  ＭｏｄｅからＣＣ間欠受信モードへの切り替えの要否を判断してもよい。この場合、プロトコル部４０は、ステップＳ１０で所定時間待機することなく、切り替えを要すると判断後、即座に通信モードを切り替えて消費電力を低減できる。
【００６６】
また、前述の実施形態では、図４のステップＳ１５において、ＣＣ連続受信モードに切り替え、コントロールチャネルで配信されているコンテンツデータを受信したが、これには限られない。例えば、コンテンツデータを受信するチャネルがＢｒｏａｄｃａｓｔ  Ｏｖｅｒｈｅａｄ  Ｍｅｓｓａｇｅで指定された場合、携帯電話機１は、指定されたチャネルからコンテンツデータを受信するように設定してもよい。
【００６７】
また、前述の実施形態において、無線端末装置として携帯電話機１について説明しているが、無線端末装置はこれに限定されず、本発明は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ゲーム機、ナビゲーション装置、パーソナルコンピュータ等の様々な携帯通信端末に適用可能である。
【００６８】
また、前述の実施形態において、携帯電話機１は、ヒンジ機構４により折り畳み可能な型式としたが、これには限られない。携帯電話機１は、このような折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転式（ターンタイプ）や、操作部側筐体２と表示部側筐体３とが１つの筐体に配置され連結部を有さない型式（ストレートタイプ）でもよい。また、携帯電話機１は、開閉及び回転可能ないわゆる２軸ヒンジタイプであってもよい。
【００６９】
また、前述の実施形態のＢＣＭＣＳは、ＣＤＭＡ２０００＿１ｘ方式における例に過ぎず、３ＧＰＰ準拠の近似するセル内におけるブロードキャストサービスであってもよい。例えば、ＬＴＥにおいては、ｅ−ＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）を用いてもよい。
【符号の説明】
【００７０】
１  携帯電話機（無線端末装置）
４１  判定部
４２  コンテンツデータ判断部
４３  取得部
４４  通信モード切替部
４５  受信部
５１  受信要否判断部
【図１】
2012205127.tif 000003
【図２】
2012205127.tif 000004
【図３】
2012205127.tif 000005
【図４】
2012205127.tif 000006